(57)【特許請求の範囲】
【請求項１】
合成樹脂よりなる雌雄爪咬合型のチャックにまたがって当該チャックに装着されるスライダー本体が、その装着状態においてチャックの長さ方向沿いに摺動操作されるものであること、および、
前記スライダー本体について、これを上面からみたときのスライダー本体外形が、スライダー摺動方向に横長の長方形をしていて、その長手方向の一端側にあるスライダー本体面が正面かつその長手方向の他端側にあるスライダー本体面が背面となっていること、および、
前記スライダー本体が、上面壁と、上面壁の右側縁から下向きに伸びる右側壁と、上面壁の左側縁から下向きに伸びる左側壁とを有しており、かつ、当該スライダー本体の上面壁が一部開口されているとともに当該スライダー本体の左右両側壁間に介在するチャック装着用の空間がスライダー本体下面・スライダー本体正面・スライダー本体背面の各面でそれぞれ開放されていること、および、
前記スライダー本体における左右両側壁の内面には、前記チャックの雌雄爪を咬合させるためのものとして、当該左右両側壁の内面からそれぞれ突出して互いに向き合う左右一対の押圧部が形成されていること、および、
前記スライダー本体における背面寄りの端部上面と正面寄りの端部上面とのうち、背面寄り端部上面には、チャック開放用レバーがヒンジを介在して押し下げ自在に形成されているとともに当該チャック開放用レバーがそのヒンジ側からスライダー本体上面に沿ってスライダー本体正面寄りの端部方向へ伸びており、かつ、当該チャック開放用レバー下面と前記スライダー本体上面との間には、当該チャック開放用レバーを押し下げ可能にするための隙間が介在していること、および、
前記チャック開放用レバーについて、自己弾性で長手方向に直線状に伸びているときの当該レバーはその自己弾性により常に上方位置を保持するものであり、かつ、下向きの押圧力で押し下げられたときの当該レバーは前記ヒンジの箇所から下向きに変形して下方位置に変位するものであること、および、
前記チャック開放用レバーの下面には、当該レバー下面から下向きに伸び、かつ、前記スライダー本体上面壁にある開口を貫通して、そのスライダー本体の左右両側壁間に介入する支柱が形成されていること、および、
前記支柱の下端部には、前記チャックの咬合された雌雄爪を引き離すためのものであって、前記スライダー本体の左右両側壁間に介在する開口用ガイドが設けられていること、および、
前記チャックの雌雄爪と、前記チャック開放用レバーに設けられた前記開口用ガイドとの相対関係において、前記チャック開放用レバーが自己弾性により直線状に伸びて上方位置にあるときの前記開口用ガイドは、前記雌雄爪よりも上方にあって当該雌雄爪を咬合可能とする部位に位置するものであり、かつ、前記チャック開放用レバーが下向きの押圧力により押し下げられて下方位置に変位したときの前記開口用ガイドは、前記雌雄爪の上方で当該雌雄爪の咬合を引き離すことのできる部位に位置するものであること、
を特徴とするチャック用スライダー。
【請求項２】
前記チャックについて、前記雌雄爪のうちの雌爪を有する部材や雄爪を有する部材の各上端縁には、それぞれ上玉縁が内向きに設けられて互いに遊離して対向しており、
前記チャック開放用レバーが自己弾性により直線状に伸びて上方位置にあるときの前記開口用ガイドについては、その開口用ガイドが前記両上玉縁よりも上方に位置して前記雌雄爪を咬合可能とするものであり、
前記チャック開放用レバーが下向きの押圧力により押し下げられて下方位置に変位したときの前記開口用ガイドについては、その開口用ガイドが前記両上玉縁の対向部間に進入して当該両上玉縁の対向間隔を広げることにより前記雌雄爪の咬合を引き離すことができるものである
請求項１に記載されたチャック用スライダー。
【請求項３】
前記チャックについて、前記雌雄爪のうちの雌爪を有する部材や雄爪を有する部材の各下端縁には、それぞれ下玉縁が内向きに設けられて互いに遊離して対向しており、
前記スライダー本体の左右両側面壁下端部には、前記チャックの両下玉縁と係合するためのスライダー脱落防止ガイドがそれぞれ内向きに設けられて互いに遊離して対向している
請求項１〜２のいずれかに記載されたチャック用スライダー
【請求項４】
前記チャックについて、前記雌雄爪のうちの雌爪を有する部材や雄爪を有する部材の各下端縁に設けられた前記両上玉縁には、前記開口用ガイドが接触して摺動するときの前記スライダー本体に対しチャック開閉時の感覚を付与するための凹凸が、当該上玉縁の長手方向に沿って形成されている
請求項１〜３のいずれかに記載されたチャック用スライダー。
【請求項５】
前記スライダー本体において、前記チャック開放用レバーの下面から下向きに伸びた前記支柱の下端部には、前記開口用ガイドの後部側に隣接して下向きかつ垂直に伸びる薄板状のチャック開放部挿入ガイドが形成されており、
前記スライダー本体をその正面からみたときの前記開口用ガイドの底部が逆三角形状をしているとともに前記チャック開放部挿入ガイドが縦長薄板形状をしており、かつ、前記スライダー本体をその左側面または右側面からみたときの前記チャック開放部挿入ガイドの底面が、前記スライダー本体の背面方向へ向かうにしたがい、より低いものになっている
請求項１〜４のいずれかに記載されたチャック用スライダー。
【発明の詳細な説明】
【技術分野】
【０００１】
本発明は、袋体の開口部に設けられている再開閉可能な合成樹脂よりなる雌雄咬合型のチャックを開閉操作するスライダーに関するものである。
【背景技術】
【０００２】
表裏２枚の胴部フィルムよりなり左右にサイドシールが施され、開口部にスライダーによって開閉操作する合成樹脂よりなる雌雄咬合型のチャックを備えた合成樹脂製袋体は周知である。また、チャックの上にまたがって摺動するスライダー本体に、前記雌雄爪を咬合する押圧部と、咬合した雌雄爪を引き離すための開口用ガイドとを備えたスライダーも周知である。
【０００３】
従来のスライダーはチャックを開くための開口用ガイドがスライダー本体の端面に位置している。そのためチャックの閉じ端においては前記開口用ガイドがチャックの雌雄爪間に位置し、チャックを完全に咬合することができず隙間ができ、この隙間により気水密性を損なっている。また、鞄や冷蔵庫のなかで、スライダー本体が何かに接触し自然にチャックが開いて内容物がこぼれてしまうという事例があった。
【０００４】
また、スライダーの脱落防止のためにスライダー本体の下部にチャックと係合する脱落防止爪を設けたものがあるが、これでは、袋体開閉操作の際の力で脱落防止爪がチャックより係合が外れてスライダーが脱落してしまう場合があった。
【特許文献１】実開昭６１−１３６１２公報
【特許文献２】特開平８−２１４９２０公報
【特許文献３】特開２００１−１３０５９４公報
【発明の開示】
【発明が解決しようとする課題】
【０００５】
本発明は、チャックの自然開放を防止し気水密性の確保とスライダーの脱落防止を確実にしたチャック用スライダーを提供することである。
【課題を解決するための手段】
【０００６】
上記の課題を解決するための本発明チャック用スライダーは、下記の第１項〜第５項に記載された手段を特徴とする。
［第１項］
合成樹脂よりなる雌雄爪咬合型のチャックにまたがって当該チャックに装着されるスライダー本体が、その装着状態においてチャックの長さ方向沿いに摺動操作されるものであること、および、
前記スライダー本体について、これを上面からみたときのスライダー本体外形が、スライダー摺動方向に横長の長方形をしていて、その長手方向の一端側にあるスライダー本体面が正面かつその長手方向の他端側にあるスライダー本体面が背面となっていること、および、
前記スライダー本体が、上面壁と、上面壁の右側縁から下向きに伸びる右側壁と、上面壁の左側縁から下向きに伸びる左側壁とを有しており、かつ、当該スライダー本体の上面壁が一部開口されているとともに当該スライダー本体の左右両側壁間に介在するチャック装着用の空間がスライダー本体下面・スライダー本体正面・スライダー本体背面の各面でそれぞれ開放されていること、および、
前記スライダー本体における左右両側壁の内面には、前記チャックの雌雄爪を咬合させるためのものとして、当該左右両側壁の内面からそれぞれ突出して互いに向き合う左右一対の押圧部が形成されていること、および、
前記スライダー本体における背面寄りの端部上面と正面寄りの端部上面とのうち、背面寄り端部上面には、チャック開放用レバーがヒンジを介在して押し下げ自在に形成されているとともに当該チャック開放用レバーがそのヒンジ側からスライダー本体上面に沿ってスライダー本体正面寄りの端部方向へ伸びており、かつ、当該チャック開放用レバー下面と前記スライダー本体上面との間には、当該チャック開放用レバーを押し下げ可能にするための隙間が介在していること、および、
前記チャック開放用レバーについて、自己弾性で長手方向に直線状に伸びているときの当該レバーはその自己弾性により常に上方位置を保持するものであり、かつ、下向きの押圧力で押し下げられたときの当該レバーは前記ヒンジの箇所から下向きに変形して下方位置に変位するものであること、および、
前記チャック開放用レバーの下面には、当該レバー下面から下向きに伸び、かつ、前記スライダー本体上面壁にある開口を貫通して、そのスライダー本体の左右両側壁間に介入する支柱が形成されていること、および、
前記支柱の下端部には、前記チャックの咬合された雌雄爪を引き離すためのものであって、前記スライダー本体の左右両側壁間に介在する開口用ガイドが設けられていること、および、
前記チャックの雌雄爪と、前記チャック開放用レバーに設けられた前記開口用ガイドとの相対関係において、前記チャック開放用レバーが自己弾性により直線状に伸びて上方位置にあるときの前記開口用ガイドは、前記雌雄爪よりも上方にあって当該雌雄爪を咬合可能とする部位に位置するものであり、かつ、前記チャック開放用レバーが下向きの押圧力により押し下げられて下方位置に変位したときの前記開口用ガイドは、前記雌雄爪の上方で当該雌雄爪の咬合を引き離すことのできる部位に位置するものであること、
を特徴とするチャック用スライダー。
［第２項］
前記チャックについて、前記雌雄爪のうちの雌爪を有する部材や雄爪を有する部材の各上端縁には、それぞれ上玉縁が内向きに設けられて互いに遊離して対向しており、
前記チャック開放用レバーが自己弾性により直線状に伸びて上方位置にあるときの前記開口用ガイドについては、その開口用ガイドが前記両上玉縁よりも上方に位置して前記雌雄爪を咬合可能とするものであり、
前記チャック開放用レバーが下向きの押圧力により押し下げられて下方位置に変位したときの前記開口用ガイドについては、その開口用ガイドが前記両上玉縁の対向部間に進入して当該両上玉縁の対向間隔を広げることにより前記雌雄爪の咬合を引き離すことができるものである
上記第１項に記載されたチャック用スライダー。
［第３項］
前記チャックについて、前記雌雄爪のうちの雌爪を有する部材や雄爪を有する部材の各下端縁には、それぞれ下玉縁が内向きに設けられて互いに遊離して対向しており、
前記スライダー本体の左右両側面壁下端部には、前記チャックの両下玉縁と係合するためのスライダー脱落防止ガイドがそれぞれ内向きに設けられて互いに遊離して対向している
上記第１項〜第２項のいずれかに記載されたチャック用スライダー。
［第４項］
前記チャックについて、前記雌雄爪のうちの雌爪を有する部材や雄爪を有する部材の各下端縁に設けられた前記両上玉縁には、前記開口用ガイドが接触して摺動するときの前記スライダー本体に対しチャック開閉時の感覚を付与するための凹凸が、当該上玉縁の長手方向に沿って形成されている
上記第１項〜第３項のいずれかに記載されたチャック用スライダー。
［第５項］
前記スライダー本体において、前記チャック開放用レバーの下面から下向きに伸びた前記支柱の下端部には、前記開口用ガイドの後部側に隣接して下向きかつ垂直に伸びる薄板状のチャック開放部挿入ガイドが形成されており、
前記スライダー本体をその正面からみたときの前記開口用ガイドの底部が逆三角形状をしているとともに前記チャック開放部挿入ガイドが縦長薄板形状をしており、かつ、前記スライダー本体をその左側面または右側面からみたときの前記チャック開放部挿入ガイドの底面が、前記スライダー本体の背面方向へ向かうにしたがい、より低いものになっている
上記第１項〜第４項のいずれかに記載されたチャック用スライダー。
【発明の効果】
【０００７】
本発明によると、チャックを閉じるときにはチャック開放用レバーが自己弾性により常に上方に位置して開口用ガイドは雌雄爪から離れた位置にあるため、チャックは開口用ガイドに影響されることなく閉じ端までチャックの全幅に渡って完全に雌雄爪を咬合しスライダーの閉じ端において隙間が生ずることがなくなり気水密性を確保すると共に、スライダー本体をチャックの開き方向に自然移動しても開口用ガイドは閉じているチャック咬合を引き離すことがなく、チャックは確実に閉じた状態を維持するため、チャックの自然開放を防止する。また、スライダー本体は下玉縁にスライダー脱落防止ガイドを介して係合しているため、スライダー本体の脱落を確実に防止する。さらに、上玉縁の長手方向に形成している凹凸に開口用ガイドが接触して摺動するため、スライダー本体にチャック開閉時にチャックの開閉操作を指先に感覚を付与する等の効果を有している。
【発明を実施するための最良の形態】
【０００８】
以下本発明を実施するための最良の形態を図面に基づいて説明する。図１乃至図４において、１は合成樹脂よりなる雌雄爪咬合型のチャックの上にまたがって摺動するスライダー本体である。このスライダー本体１には前記雌雄爪を咬合する押圧部２と、咬合した雌雄爪を引き離すための開口用ガイド６と、スライダー本体１の下部前後にスライダー脱落防止ガイド７ａ、７ｂとを備えている。
【０００９】
前記スライダー本体１により開閉される合成樹脂よりなる雌雄爪咬合型のチャック８は図５で示すように、チャック８の雌雄爪８ａ、８ｂより上方に上玉縁９を対向して設け、また、チャック８の雌雄爪８ａ、８ｂより下方に下玉縁１０を対向して設けた構造である。尚、符号１２は合成樹脂製の袋体を示す。従って、前記チャック８は前記袋体１２の開口端部内側面に設けられている。
【００１０】
そこで、本発明のチャック用スライダーは、前記開口用ガイド６を前記スライダー本体１の上面にヒンジ４により自己弾性で常に上方に位置し押圧力で下方に押し下げらるよう形成したチャック開放用レバー３に支柱５を介して設け、前記チャック開放用レバー３の上方位置で前記開口用ガイド６を前記雌雄爪８ａ、８ｂより上方で雌雄爪８ａ、８ｂを咬合可能とする部位に位置し、前記チャック開放用レバー６の下方位置で前記開口用ガイド６を前記雌雄爪８ａ、８ｂより上方で雌雄爪８ａ、８ｂの咬合を引き離しする部位に位置するようにしたものである。
【００１１】
前記チャック開放用レバー３の上方位置で前記開口用ガイド６はチャック８の雌雄爪８ａ、８ｂを咬合可能とする部位に位置し、前記チャック開放用レバー６の下方位置で前記開口用ガイド６はチャック８の雌雄爪８ａ、８ｂの咬合を引き離しする部位に位置する具体的な態様を図６乃至図９によって説明する。
【００１２】
図６及び図７はチャック開放用レバー３の上方位置で開口用ガイド６がチャック８の雌雄爪８ａ、８ｂを咬合可能とする部位に位置した状態を示す。チャック開放用レバー３の上方位置では開口用ガイド６は雌雄爪８ａ、８ｂの上方の上玉縁９より上方に位置するため、図７で理解されるようにチャック８の雌雄爪８ａ、８ｂは左右に開くことがなく、この状態でスライダー本体１をチャツク８の閉じ方向及開き方向の何れの方向にスライドしてもチャック８の雌雄爪８ａ、８ｂは押圧部２によって咬合し、かつ咬合状態を維持してチャック８は開放することがない。
【００１３】
図８及び図９は自己弾性で常に上方に位置しているチャック開放用レバー３を押し下げた下方位置で開口用ガイド６がチャック８の雌雄爪８ａ、８ｂの咬合を引き離しする部位に位置した状態を示す。チャック開放用レバー３の押し下げにより開口用ガイド６が左右上玉縁９の間に進入して対向間隔を広げるため、図９で理解されるようにチャック８の雌雄爪８ａ、８ｂは左右に開き雌雄爪８ａ、８ｂの咬合を引き離す。従って、チャック開放用レバー３を指先で押し下げた状態を保持してスライダー本体１をチャツク８の開き方向にスライドすることによりチャック８の雌雄爪８ａ、８ｂは咬合を解除して開放する。尚、指先を開口用ガイド６から離すことによりチャック開放用レバー３は自己弾性で上方位置に復元し、開口用ガイド６は雌雄爪８ａ、８ｂの上方の上玉縁９より上方に位置するため、前記のとおりスライダー本体１をチャツク８の閉じ方向及開き方向の何れの方向にスライドしてもチャック８の雌雄爪８ａ、８ｂは押圧部２によって咬合し、かつ咬合状態を維持する。
【００１４】
また、スライダー本体１は、その下部の前後に形成されているスライダー脱落防止ガイド７ａ、７ｂが下玉縁１０に係合しているため、スライダー本体１のスライド時の袋体開閉操作の際の力でスライダー本体１がチャック８から外れて脱落することを確実に防止している。
【００１５】
前記開口用ガイド６にチャック開放部挿入ガイド１３を設けることが望ましい。このチャック開放部挿入ガイド１３により開口用ガイド６が下方に押し下げられる際に円滑にガイドすると共に、スライダー本体１のスライド時に開口用ガイド６を上玉縁９間のセンタへ位置し、チャック８の開閉をより一層スムーズにする。
【００１６】
図１０及び図１１は本発明の変形例を示す。この変形例は上玉縁９にその長手方向に所要の間で切欠１１を設けて凹凸面を形成する。これによりスライダー本体１のスライド時に開口用ガイド６が上玉縁９の凹凸面に摺接してピチピチ音や指先に振動を感じ、チャック開閉時の感覚を付与する。
【００１７】
このように本発明は、チャックの全幅に渡って完全に雌雄爪を咬合しスライダーの閉じ端において隙間が生ずることがなくなり気水密性を確保すると共に、一度全閉されたチャックはチャック開放用レバー３を押し下げない限り如何なる位置にスライドしても開放することがなく、チャックの自然開放を防止する。また、下玉縁にスライダー脱落防止ガイドを介して係合しているスライダー本体は脱落を確実に防止する利点を有している。
【図面の簡単な説明】
【００１８】
【図１】チャック開放用レバーが上方に位置している状態のスライダーの側面図
【図２】チャック開放用レバーが下方に位置している状態のスライダーの側面図
【図３】図１の正面図
【図４】スライダーを下側から視た下面図
【図５】チャックの断面図
【図６】チャック開放用レバーが上方に位置している状態でスライダーがチャックに装着されている要部側面図
【図７】図５の正面図
【図８】チャック開放用レバーが下方に位置している状態でスライダーがチャックに装着されている要部側面図
【図９】図８の正面図
【図１０】本発明の変形例を示す要部側面図
【図１１】図１０のＡ−Ａ断面図
【符号の説明】
【００１９】
１    スライダー本体
２    雌雄爪を咬合する押圧部
３    チャック開放用レバー
４    ヒンジ
５    支柱
６    開口用ガイド
７ａ  スライダー脱落防止ガイド
７ｂ  スライダー脱落防止ガイド
８ａ 雌雄爪の雌爪
８ｂ 雌雄爪の雄爪
８    チャック
９    上玉縁
１０    下玉縁
１１    切欠
１２    袋体
１３    チャック開放部挿入ガイド
【図１】
0005191179.tif 000002
【図２】
0005191179.tif 000003
【図３】
0005191179.tif 000004
【図４】
0005191179.tif 000005
【図５】
0005191179.tif 000006
【図６】
0005191179.tif 000007
【図７】
0005191179.tif 000008
【図８】
0005191179.tif 000009
【図９】
0005191179.tif 000010
【図１０】
0005191179.tif 000011
【図１１】
0005191179.tif 000012